(57)【特許請求の範囲】
【請求項１】
バレルクランクケースコアを作る方法であって、
コアボックスのバレル形成ツールを使用して一体のクランクケース領域に複数のバレルを形成する工程と、
前記バレル形成ツールエレメントを使用して一体のクランクケース領域に１つ以上の位置決め器表面を形成する工程と、
を含む、前記方法。
【請求項２】
前記バレル形成ツールエレメントは、前記クランクケース領域で、１次位置決め器表面と、２次位置決め器表面と、を形成する、請求項１に記載の方法。
【請求項３】
バレルクランクケースコアを作る方法であって、
コアボックスの第１及び第２のバレル形成ツールエレメントの各々を使用して、複数のバレルの第１及び第２のバンクを一体のクランクケース領域に形成する工程と、
前記バレル形成ツールエレメントをのうち少なくとも１つを使用して、前記クランクケース領域に１以上の位置決め器表面を形成する工程と、
を含む、方法。
【請求項４】
前記第１及び第２のバレル形成ツールエレメントは、前記クランクケース領域で、３つの１次位置決め器表面と、２つの２次位置決め器表面と、を形成する、請求項３に記載の方法。
【請求項５】
前記クランクケース領域で、３次位置決め器表面を形成する工程を含む、請求項４に記載の方法。
【請求項６】
バレルクランクケースコアであって、
一体のクランクケース領域で複数のバレルを含み、該クランクケース領域は、コアボックスのバレル形成ツールエレメントにより形成された少なくとも１つの位置決め器表面を含む、バレルクランクケースコア。
【請求項７】
前記クランクケース領域は、１次位置決め器表面と、２次位置決め器表面と、を備える、請求項６に記載のコア。
【請求項８】
バレルクランクケースコアであって、
一体のクランクケース領域で複数のバレルの第１及び第２のバンクを含み、
前記バレルは、コアボックスの第１及び第２のバレル形成ツールエレメントにより形成され、
前記クランクケース領域は、前記第１及び第２のバレル形成ツールエレメントの少なくとも１つにより形成された少なくとも１つの位置決め器表面を含む、バレルクランクケースコア。
【請求項９】
前記クランクケース領域は、３つの１次位置決め器表面と、２つの２次位置決め器表面と、を備える、請求項８に記載のコア。
【請求項１０】
前記クランクケース領域は、３次位置決め器表面を備える、請求項９に記載のコア。
【請求項１１】
エンジンブロック鋳型パッケージであって、
一体のクランクケース領域に複数のバレルを備える一体のバレルクランクケースコアを含み、
前記クランクケース領域は、コアボックスのバレル形成ツールエレメントにより形成される少なくとも１つの位置決め器表面を備える、前記エンジンブロック鋳型パッケージ。
【請求項１２】
前記バレルの各々の一つに配置された夫々のシリンダーボアライナーを更に備える、請求項１１に記載の鋳型パッケージ。
【請求項１３】
エンジンＶブロック鋳型パッケージであって、
一体のクランクケース領域に複数のバレルを持つ第１及び第２のバンクを有する一体のバレルクランクケースコアを含み、
前記バレルは、コアボックスの第１及び第２のバレル形成ツールエレメントにより形成され、
前記クランクケース領域は、コアボックスの前記バレル形成ツールの少なくとも１つにより形成された少なくとも１つの位置決め器表面を備える、前記エンジンＶブロック鋳型パッケージ。
【請求項１４】
前記バレルの各々に配置された夫々のシリンダーボアライナーを更に備える、請求項１３に記載の鋳型パッケージ。
【発明の詳細な説明】
【０００１】
【発明の属する技術分野】
本発明は、現場鋳造（cast-in-place）されたシリンダーボアライナーを備えた、例えばエンジンシリンダーＶブロック等のエンジンシリンダーブロックの精密な砂型鋳造に関する。
【０００２】
【従来技術】
鋳造鉄エンジンＶブロックの製造において、所謂、一体型バレルクランクケースコアが使用されており、これはコアのクランクケース領域に一体に形成された複数のバレルから構成される。バレルは、鋳鉄エンジンブロックのシリンダーボアを、ボアライナーの必要無しに形成する。
【０００３】
アルミニウム製内燃エンジンシリンダーＶブロックの精密砂型鋳造プロセスでは、消耗用の鋳型パッケージが、エンジンＶブロックの内側表面及び外側表面を画成する複数の樹脂結合式砂型コア（鋳型区分としても知られている）から組み立てられる。砂型コアの各々は、樹脂被覆式鋳物類砂をコアボックスに吹き付け、その中でそれを硬化させることによって、形成される。
【０００４】
これまでの技術では、現場鋳造されたボアライナーを備えた、アルミニウム製エンジンＶブロックの過去の製造において、精密砂型プロセスのための鋳型組み立て法は、適切な表面上でベースコアを配置し、分離クランクケースコア、側部コア、ライナーをその上に備えたバレルコア、水ジャケットコア、前端及び後端コア、カバー（頂部）コア、並びに、ベースコアの頂部又は互いの上に配置された他のコアを構築し即ち積み上げる工程を含んでいる。他のコアは、オイルギャラリーコア（oil gallery core）、側部コア及びコアバレイ（valley core）を含んでいる。追加のコアも、エンジン設計に応じて、同様に設けてもよい。
【０００５】
組み立て又は作業操作の間に、個々のコアは、それらの間の接合部において互いに対して擦すり、その結果、少量の砂が対をなす接続表面から磨り減って損失することになる。この態様における砂の磨り減り及び損失は、欠点となり、剥がれた砂がベースコアに落ちるか、或いは、鋳型パッケージ内部の小空間に捕捉され、鋳造を汚染するという望ましくない結果をもたらす。
【０００６】
更に加えて、典型的なエンジンＶブロック鋳型パッケージは、完全に組み立てられたとき、鋳造区分の間に、組み立てられた鋳型パッケージの外側表面上に目に見えるように、複数の仕切りライン（接続ライン）を持つ。外側仕切りラインは、典型的には、鋳型パッケージ表面に無数に異なる方向に延在する。無数の方向に延在する仕切りラインを持つように設計された鋳造体は、隣接する鋳造区分が、しばしば観測されるように、互いに正確に合致していない場合、溶解された金属が、仕切りラインのところの隙間を介して鋳造空洞部から流れ出すことができるという欠点を持っている。溶解された金属の損失は、３つ以上の仕切りラインが集中するところで、より多く発生しやすい。
【０００７】
鋳型パッケージ内の金属からの熱エネルギーの除去は、鋳造場のプロセスで重要な考慮事項となる。鋳造体の急速な凝固及び冷却は、金属中で細かい粒子構造の形成を促進し、例えば、高い引っ張り強度及び疲労強度、及び、良好な機械加工性能などの望ましい材料特性へと導く。隔壁に高い応力がかかる特長を持つこれらのエンジン設計に対して、熱チル（thermal chill）の使用が必要となる。熱チルは、鋳造砂より遙かに熱伝導度が高く、それが接触する、これらの鋳造特徴部から熱を容易に伝達させる。チルは、典型的には、鋳造体の隔壁特徴部の幾つかの部分を形成する態様で鋳造型内で組み付けられる、１つ以上の鉄又は鋳造鉄ボディからなる。チルは、ベースコアの工作機械器具及びそれらの回りに形成されたコア内に配置されてもよく、或いは、それらは、鋳型組み立ての間に、ベースコアへ、若しくは、クランクケースコアの間に組み付けられてもよい。
【０００８】
鋳造物が凝固された後及び熱処理の前に、鋳造型パッケージから、この種のチルを除去することは困難である。ライザー（riser）が、鋳造型パッケージの砂により覆われ、及び、鋳造物と、ランナー（runner）若しくはライザーシステムの特徴部との間で捕捉されているからである。チルが熱処理の間で鋳造物と共に残ることが可能とされている場合、それらは、熱処理プロセスを悪化させる。鋳造物が満たされるとき僅かに暖かいチルを使用することは、共通の鋳造プラクティスである。これは、重大な鋳造物品質問題へと導きかねない、湿気又はコア樹脂溶媒のチル上への可能な凝結を回避するためになされる。鋳型組み立てから鋳型充填までの固有の時間遅延の結果として、上述した型式のチルを「暖めておく」ことは困難である。
【０００９】
鋳造物の部分を急速に冷却するための別の方法は、半永久鋳型（ＳＰＭ：semi-permanent molding）プロセスを使用する工程を含んでいる。この方法は、水、空気又は他の流体による永久鋳型工作機械器具の対流冷却を用いている。ＳＰＭプロセスでは、鋳型パッケージは、ＳＰＭ装置内に配置される。ＳＰＭ装置は、隔壁特徴の幾つかの部分を形成するように設計された、能動冷却永久（再使用可能な）ツールを含んでいる。この鋳型は、金属で充填される。数分経過後、鋳型パッケージ及び鋳造物は、永久鋳型ツールから分離され、鋳造物サイクルが繰り返される。そのような装置は、典型的には、溶解及び鋳型充填の設備を効率的に使用するため、多数の鋳造ステーションを用いている。これは、プロセスの繰り返し再現性を達成する上で、望ましくないシステムの複雑さ及び困難さを導きかねない。
【００１０】
分離したクランクケースコア及びその上にライナーを備えたアルミニウムエンジンＶブロックの過去の製造においては、ブロックは、とりわけ、（バレルコアのバレル特徴部上に配置されたボアライナーから形成された）シリンダーボアが、均一なボアライナー壁厚を有するということ、及び、他の重要なブロック特徴部が高精度に機械加工されることを確実にする態様で機械加工されなければならない。これは、ライナーが、鋳造部内部で互いに対して高精度に配置されること、及び、ブロックが、機械加工設備に対して最適に配置されることを必要とする。
【００１１】
鋳造物内部での互いに対するボアライナーの位置は、鋳型の充填の間、ボアライナーを支持するため使用される、鋳型成分（コア）の寸法精度及び組み立てクリアランスにより大方決定される。ライナーを支持するための多数の鋳型構成要素の使用は、多数の鋳型構成要素における、寸法のばらつきの蓄積即ち積み重ね、及び、組み立てクリアランスに起因してライナーの位置のばらつきを発生させる。
【００１２】
機械加工用の鋳造Ｖブロックを準備するため、それは、所謂ＯＰ１０又は制限（qualification）備品（fixture）のいずれかで保持されており、その一方で、平削り機械設備は、鋳造Ｖブロック上に平坦で滑らかな参照箇所（機械ライン位置決め器表面）を高精度に準備する。これらの参照箇所は、他の機械加工備品において、エンジンブロック機械加工プラントにおけるＶブロックを配置するため後に使用される。ＯＰ１０の備品は、エンジンブロック機械加工プラントで典型的に存在しており、その一方で、制限備品は、鋳造ブロックを製造する鋳造場に典型的に存在する。いずれの備品の目的も、鋳造エンジンブロック上で制限された位置決め器表面を提供することである。ＯＰ１０又は制限備品に鋳造物を配置する鋳造物上の備品は、「鋳造位置決め器（casting locator）」として知られている。典型的には、現場鋳造されたボアライナーを備えたＶブロックのためのＯＰ１０又は制限備品は、シリンダーの各バンクから少なくとも１つのシリンダーボアライナーの湾曲した内側表面を鋳造位置決め器として使用する。鋳造位置決め器として湾曲表面を使用することは、不都合を被る。単一方向に鋳造物を移動させることは、鋳造物の空間的配位に複雑な変化を引き起こすからである。これは、バンクが互いにある角度で整列されるとき、各バンクから少なくとも１つのライナー表面を使用することにより、更に倍化される。実用的な事情として、機械加工者は、参照平面を確立する３つの１次鋳造位置決め器上に鋳造物を最小に受け入れ支持する備品を設計することを選択する。次に、鋳造物は、２つの２次的鋳造位置決め器に対して移動され、参照ラインを確立する。最後に、その鋳造物は、単一の３次鋳造位置決め器が参照ポイントを確立するまで当該ラインに沿って移動される。ここで、鋳造物の配位は、完全に確立される。次に、鋳造物は、機械加工が実行されている間、適所にクランプされる。ＯＰ１０又は制限備品内で鋳造物を配位するため湾曲し且つ角度が付けられた表面を使用することは、備品内の配置の精度及びひいては鋳造Ｖブロックの機械加工の精度を低下させる結果となりかねない。機械加工のため位置を固定する前に、与えられた方向に鋳造物を移動させることの結果は、複雑さをもたらし、更に非再現性をもたらす可能性もあるからである。
【００１３】
【発明が解決しようとする課題】
本発明の目的は、ライナー及び鋳造位置決め器が、鋳型パッケージ内及び鋳型パッケージ内で製造される鋳造エンジンブロック内で互いに対して正確に配置される態様で、夫々のシリンダーボアライナーを受け入れるようにバレル特徴部が適合されるところの現場鋳造されたボアライナーを含むアルミニウム製造物及びその他のエンジンＶブロックの製造の際に一体バレルクランクケースコアを使用することである。
【００１４】
本発明の別の目的は、上記欠点のうち１つ以上を克服する態様で、エンジンシリンダーブロックの砂型鋳造のための方法及び装置を提供することである。
【００１５】
【課題を解決するための手段】
本発明は、エンジンブロック鋳型パッケージを組み立てるための方法及び装置、並びに、鋳型パッケージ及び一体のバレルクランクケースコアを含んでいる。本発明の実施形態では、一体のバレルクランクケースコアは、一体のクランクケース領域において、２つのバンクに複数のバレルを備える。これらのバレルは、コアボックスの夫々のバレル形成ツールエレメントにより形成される。バレル形成ツールエレメントは、クランクケース領域に１つ以上の鋳造位置決め器表面を形成するようにも構成されている。鋳造位置決め器表面が、バレルを形成するのと同じツールエレメントを使用してクランクケース領域に形成されているので、鋳造位置決め器表面は、バレルに対して、かくして、エンジンブロック鋳造物内に形成されるべきシリンダーに対して首尾一貫且つ正確に配置される。位置決め器表面は、シリンダーボアライナーの内側湾曲表面を参照する必要無しに、引き続く整列及び機械加工作業でエンジンブロック鋳造物を位置決めするため使用することができる。
【００１６】
本発明の図示の実施形態に従って、一体のバレルクランクケースコアは、コアボックス工作機械内で形成され、該コアボックス工作機械は、バレルそれ自体が形成されるときクランクケース領域上で鋳造位置決め器表面を形成する２つの可動のバレル形成ツールエレメントを有する。バレル形成ツールエレメントは、コアのクランクケース領域に、１次、２次及び３次の鋳造位置決め器表面を形成するように構成される。
【００１７】
本発明の利点及び目的は、添付図面を参照して本発明の次の詳細な説明からより良く理解されよう。
【００１８】
【発明の実施の形態】
図１は、本発明の実施形態に係る、エンジンシリンダーブロック鋳型パッケージ１０を組み立てるための図解的なシーケンスを示す流れ図を表している。本発明は、図示の組み立て工程のシーケンスに限定されない。他のシーケンスが鋳型パッケージを組み立てるために用いることができるからである。
【００１９】
鋳型パッケージ１０は、オプションのチル２８ａ、オプションのチルパレット２８ｂ及びオプションの鋳型取り出しプレート２８ｃと合致されるベースコア１２と、その上に金属製（例えば、鋳鉄、アルミニウム、又は、アルミニウム合金）シリンダーボアライナー１５を有する、一体のバレルクランクケースコア（ＩＢＣＣ）１４と、２つの端部コア１６と、２つの側部コア１８と、２つの水ジャケットスラブコアアッセンブリ２２（水ジャケットコア２２ａ、ジャケットスラブコア２２ｂ、及び、リフターコア２２ｃ）と、タペットバレイコア２４と、カバーコア２６と、を含む多数の型式の樹脂結合砂型コアから組み立てられる。上述したコアは、説明の目的のために提供されたもので、これに限定するものではない。他の型式のコア及びコア形態を、鋳造されるべき特定のエンジンブロック設計に応じて、エンジンシリンダーブロック鋳型パッケージの組み立てにおいて使用することができるからである。
【００２０】
例えばフェノールウレタンコールドボックス（phenolic urethane cold box）又はフランホットボックス（Furan hot box）等の従来のコア形成プロセスを使用して、樹脂結合砂型コアを作ることができる。この場合、鋳造砂及び樹脂結合材の混合物がコアボックスに吹き付けられ、該結合材が触媒ガス及び／又は熱のいずれかで硬化される、鋳造砂は、シリカ、ジルコン、溶解シリカ、及び、その他のものから構成することができる。触媒化された結合材は、アッシュランド・ケミカル・カンパニーから市販されているアイソキュア（Isocure）結合材から構成することができる。
【００２１】
これに限定されない実例図示という目的のため、図１には、アルミニウムエンジンＶ８ブロックを鋳造するためにエンジンシリンダーブロック鋳型パッケージの組み立てにおいて使用するための樹脂結合砂型コアが示されている。本発明は、２列のシリンダーボアを含み且つ各列のボアの中心線を通る平面がエンジンブロック鋳造物のクランクケース部分で交差するＶ型式エンジンシリンダーブロックの高精度の砂型鋳造要の鋳型パッケージ１０を組み立てることにおいて特に有用であるが、これに限定されるものではない。共通の配置は、２列のシリンダーボアの間の角度が５４、６０、９０又は１２０度であるＶ６エンジンブロックと、２列のシリンダーボアの間の角度が９０度であるＶ８エンジンブロックとを含むが、他の配置も用いることができる。
【００２２】
図１において、コア１４、１６、１８、２２及び２４は、最初に、多数のコアのサブアッセンブリ３０（コアパッケージ）を形成するため、ベースコア１２及びカバーコア２６とは別に組み付けられる。コア１４、１６、１８、２２及び２４は、最終的なエンジンブロック鋳型パッケージ１０の一部分を形成しない一時的ベース即ち部材ＴＢ上で組み付けられる。コア１４、１６、１８、２２及び２４は、便宜のため図１で概略的に示されており、そのより詳細な図面が図２乃至５で示される。
【００２３】
図１に示されたように、一体バレルクランクケースコア１４は、最初に、一時的なベースＴＢに配置される。コア１４は、図２乃至３、及び、図５乃至６に示されるように、一体のクランクケースコア領域１４ｂ上で複数の柱状バレル１４ａを備える。バレルクランクケースコア１４は、図５乃至６に示されたコアボックス工作機械器具１００においてバレル及びクランクケース領域の組み合わせを有する一体の一部品コアとして形成される。カムシャフト通路形成領域１４ｃｓは、クランクケース領域１４ｂ上に一体に形成され得る。
【００２４】
コアボックス工作機械器具１００は、第１及び第２のバレル形成ツールエレメント１０４が、夫々の油圧シリンダー１０６により移動するための案内ピン１０５上に摺動可能に配置される。カバー１０７は、バレル−形成ツールエレメント１０４に向かって油圧シリンダー１０９により移動するための垂直移動可能な正確に案内されるコア機械プラッテン１１０上に配置される。エレメント１０４及びカバー１０７は、図５の実線の位置から、破線の位置まで、移動され、空洞部Ｃを形成する。該空洞部には、砂／結合材の混合物が吹き付けられて硬化され、コア１４を形成する。コア１４の端部は、ツールエレメント１０４及び／又は１０７により形成される。コア１４は、ツールエレメント１０４及びカバー１０７を互いから離れるように移動させて該コア１４及びクランクケース領域１４ｂを露出させることにより工作機械器具１００から取り外される。該クランクケース領域１４ｂは、便宜上、図６で幾分概略的に示されている。
【００２５】
バレル形成ツールエレメント１０４は、バレル１４ａと、鋳造位置決め器表面１４ｃ、１４ｄ及び１４ｅを含む、外側クランクケースコア表面と、を形成するように構成される。カバー１０７は、コア１４の内側及び他の外側クランクケース表面を形成するように構成される。図示という目的のために、ツールエレメント１０４は、２つの１次鋳造位置決め器表面１４ｃを形成するため作動表面１０４ｃを含んで示されるが、これに限定されるものではない。これらの２つの１次位置決め器表面１４ｃを、クランクケース領域１４ｃの一端部Ｅ１で形成することができ、類似した第３の位置決め器表面（図示しないが表面１４ｃと類似している）を、図２のクランクケース領域１４ｂの他の端部Ｅ２で形成することができる。３つの１次鋳造位置決め器表面１４ｃは、既知の３−２−１鋳造位置法で使用するための参照平面を確立する。２つの鋳造２次位置決め器表面１４ｄを、参照ラインを確立するため、コア１４の図２のクランクケース領域１４ｂの一側部ＣＳ１上に形成することができる。図５の右手側ツールエレメント１０４は、コア１４の側部ＣＳ１上に２次位置決め器表面１４ｄを形成するための作動表面１０４ｄ（そのうちの１つが示される）を含んで示される。左手側ツールエレメント１０４は、コア１４の他方の側部ＣＳ２上に２次位置決め器表面１４ｄをオプションで形成するため類似の作動表面１０４ｄ（そのうちの１つが示される）をオプションで含むことができる。図２の、位置決め器表面１４ｃに隣接した３次鋳造位置決め器表面１４ｅは、コア端部Ｅ１で位置決め器表面１４ｃを形成するのと同じツールエレメントによって、クランクケース領域１４ｂの端部Ｅ１上で形成することができる。単一の３次位置決め器表面１４ｅは、参照ポイントを確立する。６つの位置決め器表面１４ｃ、１４ｄ、１４ｅは、引き続く機械加工作業のため、鋳造エンジンブロックを配置するための３軸座標系を確立する。
【００２６】
実際には、６以上の鋳造位置決め器表面を使用してもよい。例えば、一対の幾何学的に対向する鋳造位置決め器表面を、６つのポイント（３＋２＋１）の配置スキームで単一の配置ポイントとして機能させるため、オプションで均等化（equalized）してもよい。均等化は、ＯＰ１０又は制限備品において機械的に同期される配置詳細手段の使用により典型的に達成される。これらの配置詳細手段は、２つの表面の変動を平均化し即ち均等化させる態様で、位置決め器表面対と接触する。例えば、位置決め器表面１４ｄと類似した追加の対の２次位置決め器表面は、図５の左手側バレル形成ツールエレメント１０４の作動表面１０４ｄにより、コア１４の反対側ＣＳ２上にオプションで形成することができる。その上、追加の１次位置決め器及び３次位置決め器の表面を、特定のエンジンブロック鋳造設計のため同様に形成することができる。引き続く整列及び機械加工作業で、２つ以上のシリンダーボアライナー１５の１以上の湾曲表面を参照する必要無しに、エンジンブロック鋳造物を配位するため位置決め器表面１４ｃ、１４ｄ、１４ｅを使用することができる。
【００２７】
位置決め器表面１４ｃ、１４ｄ、１４ｅが、一体のバレル１４ａを形成するのと同じコアボックスバレル形成ツールエレメント１０４を使用してクランクケースコア領域１４ｂ上に形成されるので、これらの位置決め器表面は、バレル１４ａ及びかくしてエンジンブロック鋳造物内に形成されるシリンダーボアに対して、首尾一貫且つ正確に配置される。
【００２８】
上述されたように、一体のバレルクランクケースコア１４は、一時的ベースＴＢ上に最初に配置される。次に、金属シリンダーボアライナー１５は、コア１４の各バレル１４ａ上に手動又はロボットにより配置される。バレル１４ａ上の配置以前に、ライナーと鋳造金属との間の緊密な機械的接触を促進するという目的のため、各々のライナー外側表面を、カーボンブラックを含むすすを用いて被覆してもよい。コア１４は、図３Ａで最も良く示されているように、各バレル１４ａの下側端部で、面取りされた（円錐形の）下側環状ライナー位置決め器表面１４ｆを含むように、コアボックス工作機械器具１００内に作られる。面取り表面１４ｆは、図３Ａに示されているように、各ボアライナー１５の面取り環状下側端部１５ｆと係合しており、エンジンブロックの鋳造前及び鋳造の間にバレル１４ａに対してボアライナーを配置する。
【００２９】
シリンダーボアライナー１５は、各々、ボアライナー１５の長さ全体又はその長さの一部分に沿ってテーパーが形成された内径を備えるように機械加工又は鋳造することができ、内部にコアが形成されているコアボックス工作機械器具１００からコア１４を取り出すことを可能にするため、バレル１４ａ上で与えられた、図３Ａの抜き勾配角度Ａ（外径テーパー）と同様に形成される。特に、工作機械器具１００の各バレル形成エレメント１０４は、それのクランクケース形成領域１０４ｂからバレル形成キャビティ１０４ａの端部に向かって延在する方向の長さに沿って僅かに減少したテーパーの内径を有する、複数のバレル形成キャビティ１０４ａを備えており、工作機械器具１００上に載っているツールエレメント１０４の湾曲コア１４から離れる移動、即ち、図５の破線位置から実線位置までのツールエレメント１０４の移動を可能にしている。コアバレル１４ａは、かくして、コアクランクケース領域１４ｂの最も近いところから、バレルの端部に向かって、テーパーを持つ外径を形成する（直径が減少する）。バレル１４ａの外径上のテーパーは、典型的には、１度以内であり、コアボックス工作機械器具１００のバレル形成ツールエレメント１０４上で使用される抜き勾配角度に依存する。ボアライナー１５の内径のテーパーは、各ボアライナー１５の内径が、図３Ａの下側端部における内径よりも、上側端部で小さくなるように、図３Ａのバレル１４ａの抜き勾配角度（外径テーパー）と相補的となるように、機械加工又は鋳造される。バレル１４ａの外径のテーパーと適合させるためのボアライナー１５の内径のテーパーは、連係されたバレル上の各ボアライナーの初期整列、及び、かくしてバレル１４ａ上に適合される水ジャケットスラブコア２２に関する整列を改善する。テーパーを適合させることは、各ボアライナー１５と連係されたバレル１４ａとの間の空間即ち隙間を減少させ、厚さの均一性を作り出し、エンジンブロック鋳型の鋳造の間に当該空間に溶解金属が入り込む可能性及び範囲を減少させる。ボアライナー１５の内径上のテーパーは、エンジンブロック鋳造の機械加工の間に、除去される。
【００３０】
ボアライナー１５の内径テーパーは、図３及び図３Ａに示されたようにそれらの長さ全体に沿って延在してもよく、或いは、図３Ｅに示されたように、それらの長さの一部分に沿ってのみ延在してもよい。
【００３１】
例えば、各ボアライナー１５の内径テーパーは、図３Ｅに示されたようにコアプリント１４ｐに隣接した前記バレル１４ａの各々の末端部に近接したところで、その長さの上側テーパー形成部分１５ｋに沿ってのみ延在し、該コアプリント部に近接して、ボアライナー１５の上側端部が水ジャケットスラブコアアッセンブリ２２と結合した状態とすることができる。例えば、テーパー形成部分１５ｋは、その上側端部からその下側端部に向かって測定されるとき２５．４ｍｍ（１インチ）の長さを持ってもよい。図示していないが、同様の内径テーパー形成領域を、クランクケース領域１４ｂに隣接した各ボアライナー１５の下側端部、又は、その上側端部及び下側端部の間でボアライナー１５の長さに沿った他の任意の局所領域において局所的に設けることができる。
【００３２】
本発明は、バレル１４ａの抜き勾配角度と適合させるため内径の僅かなテーパーを備えたボアライナー１５の使用に限定されるものではない。一定の内径及び外径を備えた、テーパーが形成されていないシリンダーボアライナー１５を、図３Ｆに示すように、本発明を実施するため使用することができるからである。テーパー形成ボアライナー１５に対して本文中で説明された表面１５ｆ、１５ｇと類似した面取りされたボアライナー表面１５ｆ、１５ｇと係合している面取り位置決め器表面１４ｆ、２２ｇによって、テーパーが形成されていないボアライナー１５が、バレル１４ａ上に配置される。
【００３３】
コア１４のバレル１４ａ上のボアライナー１５の組み付けに続いて、端部コア１６が、手動又はロボットで、コアを整列させるため結合コア上の相互適合コアプリント特徴部と、それらを取り付けるための従来の手段、例えば、接着剤、ねじ又は当業者に知られた他の方法等と、を使用してコア１４へと組み付けられる。コアプリント部は、鋳型エレメントを他の鋳型エレメントに対して配置するため使用され、且つ、鋳造物の形状を画成しない、鋳型エレメント（例えば、コア）の特徴部を含む。
【００３４】
端部コア１６がバレルクランクケースコア１４に配置された後、水ジャケットスラブコアアッセンブリ２２は、図３のコア１４のバレル１４ａの各列上に手動又はロボットで配置される。各々の水ジャケットスラブコアアッセンブリ２２は、図３Ｂにおいて、例えば凹部２２ｑ及び２２ｒ等のコアの従来の相互適合コアプリント特徴部を使用して水ジャケットコア２２ａ及びリフターコア２２ｃをスラブコア２２ｂに固定することによって作られる。これらは、水ジャケットコア２２ａ及びリフターコア２２ｃのコアプリント特徴部を各々受け入れる。組み付けられたコアを締め／固定する手段は、接着剤、ねじ、又は、当業者に知られた他の方法を含む。各々の水ジャケットスラブコア２２ｂは、夫々の端部コア１６上で相補的特徴部と相互適合する、図３Ｂの端部コアプリント２２ｈを備える。コアプリント部２２ｈの意図された機能は、バレル上での組み付けの間にスラブコア２２ｂを予備整列し、更に、鋳型充填の間に端部コアの外側移動を制限することである。コアプリント部２２ｈは、バレルに対するスラブコア２２ｂの回転を減少させるというよりは、一体のバレルクランクケースコア１４に対するスラブコア２２ｂの位置を制御しない。
【００３５】
水ジャケットスラブコアアッセンブリ２２は、図３に示されたように、バレル１４ａの列に接して組み付けられる。バレル１４ａの少なくとも幾つかは、図２及び図５に示すように、コアボックス工作機械器具１００でバレル１４ａ上に形成された、その上側末端部にコアプリント部１４ｐを備える。図示という目的のみのため示された実施形態では、バレル１４ａの全てがコアプリント部１４ｐを備える。細長いバレルコアプリント部１４ｐは、面取りされたコーナーＣＣにより分離された４つの１次平坦側部を備え、且つ、上側に面する平坦コア表面Ｓ２から上方に延在する、平坦側部を持つ多角柱の延長部として示されている。水ジャケットスラブコアアッセンブリ２２は、複数の相補的多角柱コアプリント部２２ｐを含み、その各々は、図３Ａにおいて、下側に面するコア表面Ｓ２’から延在する４つの１次側部Ｓ’を備える。コアプリント部２２ｐは、コアプリント部１４ｐを受け入れ、且つ、それらの下側端部において、環状面取り（円錐形）線形位置決め器表面２２ｇを有する、平坦側部を持つ開口として示されている。各コアアッセンブリ２２がバレル１４ａの各列で配置されたとき、バレル１４ａの各コアプリント１４ｐは、夫々のコアプリント２２ｐ内に協働的に受け入れられる。平坦な１次側部の１つ以上又はコアプリント部１４ｐの幾つかの表面が、コアアッセンブリ２２の夫々のコアプリント部２２ｐに対して、きっちりと（例えば、０．２５４ｍｍ（０．０１インチ）以下のクリアランス）重ね合わされる。一例のみとして、バレルの与えられたバンクにおける第１のバレル１４ａ（例えば、図２の＃１）及び最後のバレル１４ａ（例えば、＃４）の上側に面するコア表面Ｓ２は、アッセンブリ２２のコアプリント部（例えば、図３Ｂの＃１Ａ及び＃４Ａ）の下側に面する表面Ｓ２’を使用して、バレルの当該バンクの軸に平行に水ジャケットスラブコアアッセンブリ２２の長さ軸線を整列させるため使用することができる（「上側及び下側に面する」という用語は、図３Ａに関してである）。与えられたバンクのバレルの第２のバレル（例えば、図２の＃２）のコアプリント部１４ｐの前方に面する側部Ｓは、アッセンブリ２２のコアプリント部２２ｐ（例えば、図３Ｂの＃２Ａ）の後方に面する側部Ｓ’を使用して、図２の“Ｘ”軸に沿ってコアアッセンブリ２２を配置するため使用することができる。
【００３６】
ジャケットスラブアッセンブリ２２のバレルへの組み付けが完成に近いとき、各々の面取りされた表面２２ｇは、図３及び図３Ａに示されたように、各ボアライナー１５の夫々の面取りされた上側環状端部１５ｇと係合する。これによって、ボアライナー１５の上側の末端部は、エンジンブロックの鋳造の前及び鋳造の間、バレル１４ａに対して正確に配置される。バレル１４ａの配置がコアボックス工作機械器具１００内で正確になされるため、及び、水ジャケットスラブコア２２及びバレル１４ａが、コアプリント部１４ｐ、２２ｐの幾つかにおいて緊密に相互適合されるため、ボアライナー１５は、コア１４上で正確に配置され、かくして、究極的には、シリンダーボアが、鋳型パッケージ１０内に作られたエンジンブロック鋳造物において正確に配置される。
【００３７】
コアプリント部１４ｐ及び２２ｐの領域が、図示のみの目的のため形状が平坦側部を備えた多角柱として示されているが、他のコアプリント部の形状も使用可能である。その上、コアプリント部２２ｐが、各コアアッセンブリ２２の内側側部から外側側部に延在する平坦側部開口として示されているが、コアプリント部２２ｐは、コアアッセンブリ２２の厚さを通して部分的にのみ延在してもよい。コアアッセンブリ２２の厚さを貫通するコアプリント開口２２ｐの使用は、位置決め目的のための、コアプリント部１４ｐ及びコアプリントブラケット２２ｐの間の最大の接触を提供するため選択される。当業者ならば、コアプリント部２２ｐを、各バレル１４ａの上側末端部上に夫々の雌型コアプリント部内に各々収容される雄型コアプリント部として作ることができることを理解するであろう。
【００３８】
バレル１４ａでの水ジャケットスラブコアアッセンブリ２２の組み付けに続いて、タペットバレイコア２４が、水ジャケットスラブコアアッセンブリ２２上で手動又はロボットにより組み付けられる。これに続いて、クランクケースバレルコア１４上で側部コア１８の組み付けがなされ、一時ベースＴＢ上で図１のサブアッセンブリ（コアパッケージ）３０を形成する。ベースコア１２及びカバーコア２６は、組み立てシーケンスにおけるこの時点では組み付けられない。
【００３９】
次に、サブアッセンブリ（コアパッケージ）３０及び一時的ベースＴＢは、図３Ｄのロボット把持器ＧＰ又はベースＴＢから離れた分離ステーションの他の適切なマニピュレータを使用してサブアッセンブリ３０を持ち上げることにより分離される。一時的ベースＴＢは、サブアッセンブリシーケンスの開始位置に戻され、該位置では、新しい一体のバレルクランクケースコア１４が、別のサブアッセンブリ３０の組み立てで使用するためその上に配置される。
【００４０】
サブアッセンブリ３０は、図１及び図３Ｄの、ロボット把持器ＧＰ又は他のマニピュレータにより、クリーニング（吹き払い）ステーションＢＳへと持っていかれ、該ステーションで、該サブアッセンブリは、サブアッセンブリの外側表面から、及び、そのコアの間の内部空間から解放した砂を除去するようにクリーニングされる。解放された砂は、上述したサブアッセンブリシーケンスの間で、コアが該コア間の接合部で互いに擦り合った結果として生成される。少量の砂が、結合した接合表面から削り落とされ、外側表面上、隣接するコア間の狭い空間、エンジンブロック鋳造物の壁及び他の特徴部を形成する狭い空間に滞留するおそれがある。このような空間では、砂の存在は、鋳型パッケージ内に作られるエンジンブロック鋳造物を汚染しかねない。
【００４１】
クリーニングステーションＢＳは、複数の高速度空気ノズルＮを含むことができ、該ノズルの前では、ノズルＮからの高速空気ジェットＪがサブアッセンブリの外側表面に当たり、隣接するコア間の狭い空間内に入り、解放したあらゆる砂粒子を除去し、解放砂粒子にかかる重力により援助されながら、該砂粒子をサブアッセンブリの外部に吹き飛ばすように、サブアッセンブリ３０がロボット把持器ＧＰにより巧みに操作される。サブアッセンブリ３０を動かす代わりに、或いは、動かすことに加えて、サブアッセンブリの外側表面に高速空気ジェットを差し向け、隣接するコア間の狭い空間内に空気を流し込むため、ノズルＮを、サブアッセンブリに対して移動可能にしてもよい。本発明は、サブアッセンブリ３０をクリーニングするため、高速空気ジェットを使用することに限定されない。クリーニングは、解放した粒子を吸い取るためサブアッセンブリから１つ以上の真空クリーナーノズルを使用して実行してもよいからである。
【００４２】
クリーニングされたサブアッセンブリ（コアパッケージ）３０は、その外側表面に多数の仕切りラインＬを備えており、該仕切りラインは、図４に概略的に示されたように、それらの間の接合部で隣接するコア間に配置され、外側表面上で様々に異なる方向に延在する。
【００４３】
次に、クリーニングされたサブアッセンブリ（コアパッケージ）３０は、図１及び図３で、オプションのチルパレット２８に載っているベースコア１２上に、ロボット把持器ＧＰにより配置される。チルパレット２８は、図３のベースコア１２を支持するため、パレットプレート２８ｂ上に配置された鋳型ストリッパープレート２８ｃを備える。ベースコア１２は、最下パレットプレート２８ｂ上で端から端まで配置されている複数の直立チル２８ａ（１つが図示されている）を有するチルパレット２８上に配置されている。チル２８ａは、１つ以上の固定ロッド（図示せず）により端から端まで一緒に固定することができる。これらのロッドは、チルの端部が、それが固定化し冷却されたとき、金属鋳造物の収縮に適合するように互いに向かって移動することができる態様でチル２８ａ内の軸方向通路を通って延在する。チル２８ａは、図３に示されるように、鋳型ストリッパープレート２８ｃにおける開口２８ｏ及びベースコア１２における開口１２ｏを通ってコア１４のクランクケース領域１４ｂのキャビティＣ内に延在する。パレットプレート２８ｂは、貫通孔２８ｈを備えており、該貫通孔を通して、図１のロッドＲを、鋳型ストリッパープレート２８ｃ及び鋳型パッケージ１０からチル２８ａを分離するため延在させることができる。チル２８ａは、鋳造物の隔壁特徴部から熱を急速に除去するため、鋳鉄又は他の適切な熱伝導材料から作られる。隔壁特徴部は、主要なベアリング及び主要なベアリングキャップを介してエンジンクランクシャフトを支持する特徴部を鋳造する特徴部である。パレットプレート２８ｂ及び鋳型ストリッパープレート２８ｃは、鉄、熱絶縁セラミックプレート材料、これらの組み合わせ、又は、他の耐性材料から構築することができる。それらの機能は、チル及び鋳型パッケージの操作を夫々簡単化することである。それらは、鋳造物からの熱の除去において重要な役割を果たすように意図されてないが、本発明はそれに限定されるものではない。パレットプレート２８ｂ上のチル２８ａ及び鋳型ストリッパー２８ｂは、図示のみという目的のため示されており、特定のエンジンブック鋳造用との要求に応じて、一緒に省略することができる。その上、パレットプレート２８ｂは、本発明の実施において、鋳型ストリッパープレート２８ｃ無しに使用することができ、その逆もまた成立する。
【００４４】
次に、カバーコア２６が、エンジンブロック鋳型パッケージ１０の組み立てを完成させるべくベースコア１２及びサブアッセンブリ（コアパッケージ）３０上に配置されている。サブアッセンブリ（コアパッケージ）３０の一部分ではない任意の追加のコア（図示せず）は、それらが、サブアッセンブリ（コアパッケージ）３０と統合される組み付け位置にまで移動されないうちに、ベースコア１２及びカバーコア２６に配置され、又は、固定されることができる。例えば、図１とは異なる組み立てシーケンスに従って、コアパッケージ３０は、側部コア１６無しに組み付けることができ、その代わりに、ベースコア１６上で組み当てられる。コアパッケージ３０のサン側部コア１６は、引き続いて、側部コア１６を有するベースコア１２に配置される。ベースコア１２及びカバーコア２６は、サブアッセンブリ（コアパッケージ）３０の外側表面と相補的に且つ緊密に適合するように形成される内側表面を有する。ベースコア及びカバーコアの外側表面は、平坦側部ボックス形状を画成するものとして図４に示されているが、特定の鋳造プラントに適合される任意形状とすることができる。ベースコア１２及びカバーコア２６は、典型的に、迅速に引き続く鋳型充填の間、一緒に鋳型パッケージ１０を保持するため、外側周辺金属バンド又はクランプ（図示せず）により、それらの間のコアパッケージ３０と共に一緒に接合される。
【００４５】
ベースコア１２及びカバーコア２６の間のサブアッセンブリ３０の位置は、サブアッセンブリ３０を取り囲み、及び、図４のベースコア及びカバーコアの内側に様々な多数の外側仕切りラインＬを制限する上で効果的である。ベースコア１２及びカバーコア２６は、ベースコア及びカバーコアがそれらの間にサブアッセンブリ（コアパッケージ）３０を備えた状態で組み立てられるとき、鋳型パッケージ１０の回りに延在する単一の連続的外側仕切りラインＳＬを形成する、協働的仕切り表面１４ｋ、２６ｋを備える。鋳型パッケージ１０の回りの仕切りラインＳＬの大部分は、水平面内に配位されている。例えば、鋳型パッケージ１０の側部ＬＳ、ＲＳの仕切りラインＳＬは、水平面内に置かれている。鋳型パッケージ１０の端部Ｅ３、Ｅ４の仕切りラインＳＬは、該鋳型パッケージ１０の各端部Ｅ３、Ｅ４で、入れ子舌状領域及び溝領域を画成するため、水平及び非水平に延在する。そのような舌状特徴及び溝特徴は、コアパッケージ３０の外側形状と適合することを要求され、かくして、コアパッケージと、ベース及びカバーコア１２、２６との間の空洞空間を最小にし、コアパッケージ３０をベースコア１２内の位置にまで下げるため、又は、溶解金属が鋳型パッケージに導入されるところの開口部と適合するため使用される機構のためのクリアランスを提供する。溶解金属のための開口部（図示せず）は、溶解金属を鋳型パッケージに提供するため用いられる鋳型充填技術に応じて、仕切りラインＳＬ又は別の位置に配置してもよい。なお、充填技術は、本発明の一部分を構成するものではない。鋳型パッケージ１０の回りの連続的な単一の仕切りラインＳＬは、鋳型充填の間に鋳型パッケージ１０から溶解金属（例えば、アルミニウム）を逃がすための場所を減少させる。
【００４６】
ベースコア１２は、図４において、底部壁１２ｊ、及び、一対の直立対向端部壁１２ｎにより接合される一対の直立側部壁１２ｍを備える。ベースコア１２の側部壁及び端部壁は、上方に面する仕切り表面１４ｋで終わっている。カバーコアは、頂部壁２６ｊ、一対の垂れ下がり両端ブラケット壁２６ｎにより接合された一対の垂れ下がり側部壁２６ｍを備える。カバーコアの側部壁及び端部壁は、下方に面する仕切り表面２６ｋで終わっている。仕切り表面１２ｋ、２６ｋは、ベースコア１２及びカバーコア２６がそれらの間にサブアッセンブリ（コアパッケージ）３０を備えた状態で組み立てられるとき、鋳型仕切りラインＳＬを形成するように一緒に結合している。鋳型パッケージ１０の側部ＬＳ、ＲＳの仕切り表面１４ｋ、２６ｋは、水平面内に単独で配位されている。しかし、鋳型パッケージ１０の端部壁Ｅ３、Ｅ４上の仕切り表面１２ｋ、２６ｋを、水平面内に単独で載せることができる。
【００４７】
次に、完成されたエンジンブロック鋳型パッケージ１０は、図１の鋳型充填ステーションＭＦに移動され、該ステーションでは、それは、本発明の図示の実施形態、即ち、図１で、その配位から逆転された鋳型パッケージ１０を用いた低圧充填プロセスを使用して、溶解アルミニウム等の溶解金属で充填される。しかし、例えば、重力注入法等の任意の適切な鋳型充填技術を、鋳型パッケージを充填するため使用してもよい。溶解金属（例えば、アルミニウム）は、溶解金属が固体化するとき、ボアライナー１５がエンジンブロック内で現場鋳造されるように、バレル１４ａ上で予備配置されたボアライナー１５の回りに鋳造される。鋳型パッケージ１０は、カバーコア２６の端部壁に形成された、図４に一つ示されている、凹状マニピュレータ受け入れポケットＨを備えてもよく、これによって、鋳型パッケージ１０は、把持され、充填ステーションＭＦに移動されることができる。
【００４８】
鋳型パッケージ１０内で溶解金属を鋳造している間、各々のボアライナー１５は、バレル１４ａの面取り部１４ｆ及びボアライナーの面取り表面１５ｆの間の係合により、その下側端部に配置され、水ジャケットスラブコアアッセンブリ２２の面取り表面２２ｇ及びボアライナーの面取り表面１５ｇの間の係合により、その上側末端部に配置される。この位置決めは、ボアライナー１５がエンジンブロックで正確なシリンダーボアライナー位置を提供するため鋳造エンジンブロック内で現場鋳造されるとき、鋳型パッケージ１０の組み立て及び鋳造の間に、そのバレル１４ａ上でボアライナー１５を中心に合わせ続ける。バレル１４ａの抜き勾配に適合させるため、このテーパー形成ボアライナー１５の使用と連係されたこの位置決めは、ボアライナー１５とバレル１４ａとの間の空間内への溶解金属の侵入を減少させることができ、その内部の金属バリ（flash）の形成を減少させる。オプションで、ボアライナー１５がコア１４のバレル１４ａ上で組み付けられるとき、又は、ジャケットスラブアッセンブリ２２がバレルに組み付けられるとき、適切なシーラントを、面取り表面１４ｆ、１５ｆ、２２ｇ及び１５ｇの幾つか又は全てに、その端部にまで同様に塗布することができる。
【００４９】
鋳型パッケージ１０により形成されたエンジンブロック鋳造物（図示せず）は、一体のバレルクランクケースコア１４のクランクケース領域１４ｂ上に設けられた、夫々の１次位置決め器表面１４ｃ、２次位置決め器表面１４ｄ、及び、３次位置決め器表面１４ｅにより形成された、鋳造物上の１次位置決め器表面、２次位置決め器表面、オプションの３次位置決め器表面を含んでいる。エンジンブロック鋳造物の６つの位置決め器表面は、エンジンブロック鋳造物内で現場鋳造されたシリンダーボアライナーに対して首尾一貫且つ正確に配置され、湾曲したシリンダーボアライナー１５上で位置決めする必要無しに、引き続く整列作業（例えば、ＯＰ１０整列備品）及び機械加工作業においてエンジンブロック鋳造物を位置決めするため使用することができる、３軸座標系を確立する。
【００５０】
鋳型パッケージ１０内への溶解金属の鋳造に引き続く所定期間の後、それは、図１に示される次のステーションに移動され、該ステーションでは、鋳型ストリッパープレート２８ｃを鋳造鋳型パッケージ１０がその上にある状態で、パレットプレート２８ｂ及びチル２８ａから持ち上げて分離するため、垂直リフトロッドＲが、パレットプレート２８ｂの孔２８ｈを通って持ち上げられる。パレットプレート２８ｂ及びチル２８ａは、別の鋳型パッケージ１０を組み立てるときに再使用するため組み立てプロセスの開始工程にまで戻すことができる。次に、鋳造鋳型パッケージ１０を、ストリッパープレート２８ｃ上で更に冷却することができる。鋳型パッケージ１０のこの更なる冷却工程は、鋳造物の今や露出された隔壁特徴部上に空気及び／又は水を差し向けることにより、達成することができる。これは、実用サイズの熱チルの使用により達成することができるものよりも大きな冷却率を提供することにより、鋳造物の材料特性を更に強化することができる。熱チルは、チルの温度上昇及び鋳造温度の低下に起因して、時間の経過と共に、漸次、効果が少なくなっていく。従来技術により鋳型パッケージから鋳造エンジンブロックを除去した後、ボアライナー１５の内径に沿った内径テーパーは、もしそれが存在するならば、ボアライナー１５にほぼ一定の内径を提供するため、エンジンブロック鋳型の引き続く機械加工の間に除去される。
【００５１】
本発明は、その特定の実施形態の観点で説明されたが、本発明は、それに限定されるものではなく、請求の範囲によってのみ限定される。
【図面の簡単な説明】
【図１】図１は、エンジンＶブロック鋳型パッケージを組み立てるための本発明の例示的な実施形態のプラクティスを示す流れ図である。前端部コアは、便宜上、組み立てシーケンスの図から省略されている。
【図２】図２は、本発明の実施形態に係る、バレル及びクランクケース領域上の鋳造位置決め器表面上にボアライナーを有する一体のバレルクランクケースコアの斜視図である。
【図３】図３は、本発明の実施形態に係る、エンジンブロック鋳型パッケージの断面図であり、該図では、バレルクランクケースコアの右手側断面が、バレル特徴部の中央平面を通って図２のライン３−３に沿って取られており、バレルクランクケースコアの左手側断面が、隣接するバレル間で図２のライン３’−３’に沿って取られている。
【図３Ａ】図３Ａは、バレルクランクケースコアのバレル、及び、バレル上でシリンダーボアライナーを示す水ジャケットスラブコアアッセンブリの拡大断面図である。
【図３Ｂ】図３Ｂは、バレル、リフターコア、及び、端部コアのコアプリントへの係合のためのコアプリント特徴を有する、スラブコアの斜視図である。
【図３Ｃ】図３Ｃは、一時的なベースの上に乗っている、コアのサブアッセンブリ（コアパッケージ）の断面図である。
【図３Ｄ】図３Ｄは、クリーニングステーションの概略的に示されたマニピュレータによって配置されたサブアッセンブリ（コアパッケージ）の断面図である。
【図３Ｅ】図３Ｅは、バレルクランクケースコアのバレル、及び、その長さのうち上側部分にのみテーパーが形成されたシリンダーボアライナーを示す水ジャケットスラブコアアッセンブリの拡大断面図である。
【図３Ｆ】図３Ｆは、バレルクランクケースコアのバレル、及び、バレル上でテーパッケージが形成されていないシリンダーボアライナーを示す水ジャケットスラブコアアッセンブリの拡大断面図である。
【図４】図４は、サブアッセンブリ（コアパッケージ）がベースコアに置かれ、及び、チルが省略された状態でカバーコアがベースコア上に置かれている後のエンジンブロック鋳型の斜視図である。
【図５】図５は、バレル形成ツールエレメントの閉位置及び開位置を示す、図２の一体のバレルクランクケースコアを作るためのコアボックス工作機械器具の概略図である。
【図６】図６は、バレル形成ツールエレメントの開位置を示すコアボックス工作機械器具及びその結果として生じたコアの部分斜視図である。
【図１】
0003676759.tif 000002
【図２】
0003676759.tif 000003
【図３】
0003676759.tif 000004
【図３Ａ】
0003676759.tif 000005
【図３Ｂ】
0003676759.tif 000006
【図３Ｃ】
0003676759.tif 000007
【図３Ｄ】
0003676759.tif 000008
【図３Ｅ】
0003676759.tif 000009
【図３Ｆ】
0003676759.tif 000010
【図４】
0003676759.tif 000011
【図５】
0003676759.tif 000012
【図６】
0003676759.tif 000013